(57)【要約】      （修正有）【課題】屋根型紙容器の密封部分端面を衛生上から保護し、より完全な遮光性を付与することができる包装容器を提供する。【解決手段】遮光性包装容器は、筒状体の本体１と、頂部の屋根部分２と、屋根部分２から突出した密封部分３とからなる屋根型紙容器であって、密封部分３の少なくとも端面４を覆い、遮光性フィルムからなるカバー５を有し、密封部分３を覆うカバー５が密封部分の縁部７から延出したタブ６を有することを特徴とする。好ましい態様において、筒状体の本体１及び頂部の屋根部分２も遮光性を有する。【選択図】図１
2005170424.tif 000002
【特許請求の範囲】
【請求項１】
筒状体の本体と、頂部の屋根部分と、該屋根部分から突出した密封部分とからなる屋根型紙容器であって、
該密封部分の少なくとも端面を覆い、遮光性フィルムからなるカバーを有することを特徴とする遮光性包装容器。
【請求項２】
該筒状体の本体及び頂部の屋根部分が遮光性を有する、請求項１の遮光性包装容器。
【請求項３】
該密封部分を覆うカバーが該密封部分の縁部から延出したタブを有する、請求項１の遮光性包装容器。
【請求項４】
該密封部分を覆うカバーが該密封部分の端面から延出した引裂タブを有し、該カバーが該容器の開口部を案内する情報を有する、請求項１の遮光性包装容器。
【請求項５】
該密封部分を覆うカバーが、頂部の屋根部分をも覆う、請求項１の遮光性包装容器。
【発明の詳細な説明】
【技術分野】
【０００１】
本発明は、牛乳、ジュース等飲料の液体紙容器の包装充填に用いる遮光性紙製包装容器に関する。
【背景技術】
【０００２】
内外面に熱可塑性樹脂層を設けた紙積層材料からなる屋根型紙容器は、図５に示すように、筒状体の本体５１と、頂部の屋根部分５２と、頂部の密封部分５３とからなる。図３に示す容器展開図のような包装材料を折り、縦シールし、底部を形成することにより得られる。
容器に包装された飲料は、流通過程で日光及び冷蔵ショーケースの蛍光灯に長時間曝されている。低脂肪牛乳などの光感受性食品において、消費者のある割合で、光の影響によって牛乳などの食品に何らかの異臭が発生しているとの認識を持っている。
従って、遮光性を持った紙製包装容器／カップに関心が持たれ、種々材料が提案され及び使用されている。
【０００３】
合成樹脂フィルムや漂白された紙等、遮光性の十分でない包材基材に遮光性を付与させるためには、アルミ箔のような金属膜で光線を反射させること、カーボンブラックを用いた黒色印刷により光線を吸収させることが一般に行われている。
黒印刷による見た目の印象を和らげる方法としては、多層印刷により黒の上に白印刷を重ねることが考えられる。また、外観上の問題を解決する方法としては、遮光層を中間層として含む積層体構造とすることも提案されている。
【０００４】
例えば、表層と裏層の間に積層されたカーボンブラックとカチオン性アミン含有定着剤を含む遮光層の中間層を有する特開２００１−１６３３７４、基材と最内層との間に遮光層とその片面に着色印刷層を設ける特開平７−５２３２８、紙基材に、バリアフィルム、遮光層、その隠蔽層を含むカップの特開平１１−１３００４４、紙基材層と金属蒸着プラスチック中間層とメタロセンポリエチレン内層との積層体の特開平９−８６５３７、紙層と透明ガスバリア層と着色光遮断層と熱可塑性樹脂層との紙製液体容器の特開平６−２３８８３４、板紙基材と遮光性樹脂層と白色樹脂層と最内層との紙用積層材料の特開平９−２４５８３、紙層と外側ポリオレフィン系樹脂層とバリア層と内側ポリオレフィンシール層といずれかの層間の遮光材を備える特開平６−１３５４３９に、種々の提案が記載されている。
【特許文献１】特開２００１−１６３３７４号公報
【特許文献２】特開平７−５２３２８号公報
【発明の開示】
【発明が解決しようとする課題】
【０００５】
屋根型紙容器の開封においては、密封部分の開封側が押し広げられ、次いで、側壁が引き出されて開口部が形成される。しかし、その開口部の端は、注ぎ出す時に食品と接触する可能性のある部分であるにも拘らず、流通過程で外部接触し埃や塵等が付く密封部分端面である。この端面を衛生上から保護する必要がある。
容器筒状体の本体及び頂部の屋根部分に遮光性を有する屋根型紙容器が存在するが、密封部分端面が包装材料の断面であるために、遮光性を有さず、しかも、流通過程において最も光に曝され易い箇所である。その密封部分端面を遮光性にし、より完全な遮光性容器が望まれている。
本発明の目的は、屋根型紙容器の密封部分端面を衛生上から保護し、より完全な遮光性を付与することができる包装容器を提供することである。
【課題を解決するための手段】
【０００６】
本発明の遮光性包装容器は、筒状体の本体と、頂部の屋根部分と、該屋根部分から突出した密封部分とからなる屋根型紙容器であって、
該密封部分の少なくとも端面を覆い、遮光性フィルムからなるカバーを有することを特徴とする。
【０００７】
この発明の好ましい態様の遮光性包装容器は、該筒状体の本体及び頂部の屋根部分が遮光性を有する。
【０００８】
この発明の好ましい別の態様の遮光性包装容器は、該密封部分を覆うカバーが該密封部分の縁部から延出したタブを有する。
【０００９】
この発明の好ましい更に別の態様の遮光性包装容器は、該密封部分を覆うカバーが該密封部分の端面から延出した引裂タブを有し、該カバーが該容器の開口部を案内する情報を有する。
【００１０】
この発明の好ましい更に別の態様の遮光性包装容器は、該密封部分を覆うカバーが、頂部の屋根部分をも覆う。
【発明の効果】
【００１１】
屋根型紙容器の開封において、密封部分の開封側が押し広げられ、次いで、側壁が引き出されて開口部が形成される。密封部分端面がカバーで保護されているので、開口部の端は、注ぎ出す時に食品と接触する可能性のある部分であるが、流通過程で外部接触することもなく、埃や塵等が付着することも無く、端面を衛生上に保護する。
衛生上な屋根型紙容器を提供する。
【００１２】
通常の遮光性屋根型紙容器は、容器筒状体の本体及び頂部の屋根部分に遮光性を有する。密封部分端面が包装材料の断面であるために、通常、遮光性を有さないが、流通過程において最も光に曝され易い箇所である密封部分端面を遮光性にし、より完全な遮光性容器とすることができる。
【発明を実施するための最良の形態】
【００１３】
以下、本発明の実施の形態について図面を参照しながら詳細に説明する。
図１に、本発明の実施の第１の形態の斜視部分図を示す。
この態様の遮光性包装容器は、筒状体の本体１と、頂部の屋根部分２と、屋根部分２から突出した密封部分３とからなる屋根型紙容器である。
この態様の包装容器では、密封部分３上半分とその端面４とを覆い、遮光性フィルム（斜線部分）からなるカバー５を有する。
更に好ましい態様において、筒状体の本体１及び頂部の屋根部分２も遮光性を有する。
【００１４】
図１に示す態様の包装容器では、密封部分３を覆うカバー５が密封部分の縁部７から延出したタブ６を有する。
タブ６をつまみその部分からカバーを剥がすことができる。タブ６が易開封性を付与する。好ましい態様において、タブ６に、粘着性接着剤の使用、半切れ線の付与も可能である。
【００１５】
図２に、本発明の実施の第１の形態の側面図を示す。
この態様の容器は、筒状体の本体１と屋根部分２と密封部分３とからなり、密封部分３上半分とその端面４とを覆い、遮光性フィルムからなるカバー５を有する。
【００１６】
図４に、本発明の実施の第２の形態の斜視部分図を示す。
この態様の遮光性包装容器は、筒状体の本体１と頂部の屋根部分２と屋根部分２から突出した密封部分３とからなる。この態様の包装容器では、密封部分３全面とその端面４とを覆い、遮光性フィルム（斜線部分、アルミ蒸着フィルム、遮光インキ印刷テープなど）からなるカバー５を有する。
更に好ましい態様において、筒状体の本体１及び頂部の屋根部分２も遮光性とすることができる。
【００１７】
この態様の容器は、密封部分３を覆うカバー５が密封部分の端面４から延出した引裂タブ８を有し、カバーが容器の開口部を案内する情報（図示せず）を有する。この情報によって、消費者が容易に開封側を認識し、誤って反対側を開封することがない。
この第２の形態の容器は、密封部分３を覆うカバー５（斜線部分）が、頂部の屋根部分２の一部９（斜線部分）をも覆う。
好ましい態様の遮光性包装容器は、筒状体の本体１及び頂部の屋根部分２が遮光性を有する。
【００１８】
なお、本発明は前記実施の形態に限定されるものではなく、本発明の趣旨に基づいて種々変形させることが可能であり、それらを本発明の範囲から排除するものではない。
【産業上の利用可能性】
【００１９】
この発明の紙容器は、牛乳、ジュース、ミネラルウォーターなどの飲料、流動食品などの包装容器の製造に利用することができる。
【図面の簡単な説明】
【００２０】
【図１】本発明の第１実施形態の紙容器の斜視部分図
【図２】本発明の第１実施形態の紙容器の側面部分図
【図３】包装容器の展開図
【図４】本発明の第２実施形態の紙容器の斜視部分図
【図５】本発明の実施例に使用できる容器の斜視図
【符号の説明】
【００２１】
１  容器本体
２  頂部の屋根部分
３  頂部の密封部分
４  端面
【図１】
2005170424.tif 000003
【図２】
2005170424.tif 000004
【図３】
2005170424.tif 000005
【図４】
2005170424.tif 000006
【図５】
2005170424.tif 000007